(57)【要約】【課題】携帯機器の電池を充電しながら、大量の記録データを速やかに安定して携帯機器から充電台に伝送する。【解決手段】電力搬送方法は、電池３２とメモリ３９を内蔵する携帯機器３０の受電コイル３１と、充電台１０の送電コイル１１とを電磁結合して、充電台１０から携帯機器３０に電磁誘導作用で電力搬送して、携帯機器３０の電池３２を充電し、さらに、携帯機器３０のメモリ３９の記録データを無線通信で充電台１０に無線伝送する。電力搬送方法は、携帯機器３０から充電台１０にメモリ３９の記録データを無線伝送する無線伝送タイミングにおいては、充電台１０から携帯機器３０に電力搬送を中断し、充電台１０から携帯機器３０に電力搬送する電力搬送タイミングと、無線伝送タイミングとを交互に繰り返して、充電台１０から携帯機器３０に電力搬送し、携帯機器３０から充電台１０にメモリ３９の記録データを無線伝送する。【選択図】図１
2014023323.tif 000002
【特許請求の範囲】
【請求項１】
電池(32)とメモリ(39)を内蔵する携帯機器(30)の受電コイル(31)と、充電台(10)の送電コイル(11)とを電磁結合して、充電台(10)から携帯機器(30)に電磁誘導作用で電力搬送して、携帯機器(30)の電池(32)を充電し、さらに、
前記携帯機器(30)のメモリ(39)の記録データを無線通信で充電台(10)に無線伝送する電力搬送方法であって、
前記携帯機器(30)から充電台(10)にメモリ(39)の記録データを無線伝送する無線伝送タイミングにおいては、充電台(10)から携帯機器(30)に電力搬送を中断し、充電台(10)から携帯機器(30)に電力搬送する電力搬送タイミングと、前記無線伝送タイミングとを交互に繰り返して、充電台(10)から携帯機器(30)に電力搬送し、携帯機器(30)から充電台(10)にメモリ(39)の記録データを無線伝送する電力搬送方法。
【請求項２】
前記電力搬送タイミングを、充電台(10)のタイマー(16)で中断させる請求項１に記載される電力搬送方法。
【請求項３】
前記無線伝送タイミングをタイマー(46)で中断する請求項１又は２に記載される電力搬送方法。
【請求項４】
前記無線伝送タイミングの時間幅が１００ｍｓｅｃ以下である請求項１ないし３のいずれかに記載される電力搬送方法。
【請求項５】
前記無線伝送タイミングの時間幅が１０ｍｓｅｃ以下である請求項１ないし３のいずれかに記載される電力搬送方法。
【請求項６】
前記無線伝送タイミングを、携帯機器(30)から充電台(10)に伝送した記録データのデータ量で中断させる請求項１又は２に記載される電力搬送方法。
【請求項７】
前記携帯機器(30)から充電台(10)に電力搬送タイミングを開始する電力搬送の開始信号を無線伝送し、充電台(10)が無線伝送の開始信号を検出して電力搬送タイミングを開始する請求項１ないし６のいずれかに記載される電力搬送方法。
【請求項８】
前記充電台(10)にマイクロコンピュータ(51)の通信回線(52)を接続し、通信回線(52)を介してマイクロコンピュータ(51)から充電台(10)に電力搬送タイミングを制御する制御信号を伝送して、充電台(10)の電力搬送タイミングを制御する請求項１ないし７のいずれかに記載される電力搬送方法。
【請求項９】
前記電力搬送タイミングにおいて、前記電池(32)が充電状態にあることを前記携帯機器(30)の表示手段(43)で表示すると共に、無線伝送タイミングにおいても、前記電池(32)が充電状態であると前記表示手段(43)で表示する請求項１ないし８のいずれかに記載される電力搬送方法。
【発明の詳細な説明】
【技術分野】
【０００１】
本発明は、充電台から携帯機器に電磁誘導作用で電力搬送して携帯機器に内蔵している電池を充電する電力搬送方法に関し、とくに、携帯機器からメモリに記憶する記録データを充電台に無線伝送しながら、携帯機器の電池を充電する電力搬送方法に関する。
【背景技術】
【０００２】
充電台に携帯機器を載せて、充電台の送電コイルから携帯機器の受電コイルに電磁誘導作用で電力搬送して、携帯機器の電池を充電する電力搬送方法は開発されている。（特許文献１参照）
【０００３】
送電コイルから受電コイルに電力搬送して、携帯機器の電池を無接点充電する方法は、携帯機器をリード線やコネクタを介して充電器に接続する必要がなく、便利に使用できる特徴がある。この充電台は、カメラや携帯電話など携帯機器を充電台に載せて内蔵している電池を充電できる。また、この充電台は、携帯機器から充電台に、受電コイルの負荷インピーダンスを変更する変調をして、充電台に信号を伝送している。受電コイルの負荷インピーダンスが変化すると、送電コイルの電流や電圧が変化するので、充電台は送電コイルの電流などを検出して、携帯電話などから伝送される信号を検出できる。この伝送方式で、カメラや携帯機器のメモリに記憶される記録データを充電台に伝送することができる。ただ、この伝送方式は、伝送スピードを早くできず、大量の記録データの伝送に著しく時間がかかる欠点がある。充電台の送電コイルから携帯機器の受電コイルに電力搬送される周波数が伝送スピードを制約するからである。電力搬送の周波数を高くして、伝送スピードを早くできるが、周波数を高くすると電力搬送の送電効率が低下するので、周波数を高くできない。
【先行技術文献】
【特許文献】
【０００４】
【特許文献１】特開２００９−２７３３２７号公報
【発明の概要】
【発明が解決しようとする課題】
【０００５】
この欠点は、記録データを携帯機器から充電台に無線伝送して解消できる。無線伝送は搬送波の周波数を著しく高くできるので、伝送スピードを相当に早くできる。ただ、無線伝送では、携帯機器から充電台に、たとえば電池の満充電信号などの簡単な信号を伝送することはできるが、多量の記録データを無線伝送すると伝送エラーが発生して、確実に安定して記録データを伝送できない。送電コイルに供給される交流信号の高調波が、無線伝送の雑音となって、信号のＳ／Ｎ比を低下させるからである。この欠点は、記録データを伝送するときに、携帯機器の電池の充電を停止することで解消できる。ただ、電池の充電を停止して記録データを伝送すると、携帯機器の電池が放電されて残容量が低下した場合に記録データを伝送できなくなる。
【０００６】
本発明は、以上の欠点を解決することを目的に開発されたものである。本発明の重要な目的は、携帯機器の電池を充電しながら、大量の記録データを速やかに安定して携帯機器から充電台に伝送できる電力搬送方法を提供することにある。
【課題を解決するための手段及び発明の効果】
【０００７】
本発明の電力搬送方法は、電池３２とメモリ３９を内蔵する携帯機器３０の受電コイル３１と、充電台１０の送電コイル１１とを電磁結合して、充電台１０から携帯機器３０に電磁誘導作用で電力搬送して、携帯機器３０の電池３２を充電し、さらに、携帯機器３０のメモリ３９の記録データを無線通信で充電台１０に無線伝送する。電力搬送方法は、携帯機器３０から充電台１０にメモリ３９の記録データを無線伝送する無線伝送タイミングにおいては、充電台１０から携帯機器３０に電力搬送を中断し、充電台１０から携帯機器３０に電力搬送する電力搬送タイミングと、無線伝送タイミングとを交互に繰り返して、充電台１０から携帯機器３０に電力搬送し、携帯機器３０から充電台１０にメモリ３９の記録データを無線伝送する。
【０００８】
以上の電力搬送方法は、携帯機器の電池を充電しながら、大量の記録データを速やかに安定して携帯機器から充電台に伝送できる特徴がある。とくに、携帯機器の電池を充電しながら、携帯機器から充電台にメモリの記録データを無線伝送するので、記録データを無線伝送している途中で電池が切れて無線伝送が中断されることがなく、メモリの記録データを確実に安定して充電台に伝送できる特徴がある。さらに、記録データを伝送しながら電池を充電するので、記録データを無線伝送しながら電池も次第に充電される特徴がある。
【０００９】
本発明の電力搬送方法は、電力搬送タイミングを、充電台１０のタイマー１６で中断させることができる。
この電力搬送方法は、電力搬送タイミングを中断する信号を、電力搬送している状態で携帯機器から充電台に伝送する必要がなく、電力搬送タイミングを確実に中断できる特徴がある。充電台が電力搬送している状態で、携帯機器から充電台に電力搬送タイミングを中断させる信号を無線伝送すると、送電コイルから放射される高調波が雑音となって、確実に中断信号を伝送するのが難しくなるが、充電台がタイマーで電力搬送タイミングを中断させるので、携帯機器から中断信号を伝送することなく、充電台が電力搬送タイミングを確実に中断できる。
【００１０】
本発明の電力搬送方法は、無線伝送タイミングを、タイマー４６で中断することができる。
以上の電力搬送方法は、無線伝送タイミングをタイマーで中断するので、確実に無線伝送タイミングを中断できる。また、無線伝送タイミングの時間幅を一定時間にできるので、充電台から携帯機器に効率よく電力搬送しながら、記録データを伝送できる特徴がある。それは、携帯機器から電力搬送される交流電力を整流して直流に変換して電源の平滑コンデンサーに蓄電し、平滑コンデンサーを放電しながら電池に充電電流を供給して充電できるからである。平滑コンデンサーは、電力搬送される電力で瞬時にチャージされ、電力搬送が中断される状態においては、蓄電された電力を電池に供給することができる。したがって、電力搬送が中断された状態においても、電池の充電が継続されて、電池を効率よく充電できる。
【００１１】
本発明の電力搬送方法は、無線伝送タイミングの時間幅を１００ｍｓｅｃ以下とすることができる。
以上の電力搬送方法は、無線伝送タイミングの時間幅を１００ｍｓｅｃ以下と短くするので、電力搬送タイミングを中断する時間幅を短くできる。この方法は、蓄電された平滑コンデンサーを放電して電池を充電する時間が短く、電池を一定の電圧に保持して連続して充電できる特徴がある。
【００１２】
本発明の電力搬送方法は、無線伝送タイミングの時間幅を１０ｍｓｅｃ以下とすることができる。
この方法は、無線伝送タイミングの時間幅を１０ｍｓｅｃ以下とさらに短くするので、電力搬送タイミングの中断時間がさらに短く、充放電される平滑コンデンサーでもって、さらに電池を一定の電圧に保持しながら連続して効率よく充電できる特徴がある。
【００１３】
本発明の電力搬送方法は、無線伝送タイミングを、携帯機器３０から充電台１０に伝送した記録データのデータ量で中断させることができる。
この電力搬送方法は、所定量の記録データを無線伝送した後、無線伝送タイミングを中断するので、記録データを効率よく無線伝送しながら、携帯機器の電池を充電できる。
【００１４】
本発明の電力搬送方法は、携帯機器３０から充電台１０に電力搬送タイミングを開始する電力搬送の開始信号を無線伝送し、充電台１０が無線伝送の開始信号を検出して電力搬送タイミングを開始することができる。
以上の電力搬送方法は、携帯機器から無線伝送される開始信号でもって、充電台が電力搬送を開始するので、携帯機器から充電台に、電力搬送タイミングの開始信号を確実に伝送して、電力搬送タイミングを開始できる。
【００１５】
本発明の電力搬送方法は、充電台１０にマイクロコンピュータ５１の通信回線５２を接続し、通信回線５２を介してマイクロコンピュータ５１から充電台１０に電力搬送タイミングを制御する制御信号を伝送して、充電台の電力搬送タイミングを制御することができる。
以上の電力搬送方法は、マイクロコンピュータで電力搬送タイミングと無線伝送タイミングとを制御して、効率よく電力搬送しながら記録データを無線伝送できる。
【００１６】
本発明の電力搬送方法は、電力搬送タイミングにおいて、電池３２が充電状態にあることを携帯機器３０の表示手段４３で表示すると共に、無線伝送タイミングにおいても、電池３２が充電状態であると表示手段４３で表示することができる。
以上の電力搬送方法は、電力搬送タイミングにおいて、電池が充電状態にあることを携帯機器の表示部で表示するので、ユーザーが電池の充電状態を視認できると共に、無線伝送タイミングにおいても、電池が充電状態であると表示することで、電池の充電が継続されていることをユーザーに認識させることができる。
【図面の簡単な説明】
【００１７】
【図１】本発明の一実施の形態にかかる電力搬送方法に使用する充電台と携帯機器のブロック図である。
【図２】図１に示す充電台と携帯機器の一例を示す斜視図である。
【図３】整流回路の出力波形を示している。
【図４】表示手段の他の一例を示すブロック図である。
【図５】充電台から携帯機器に電力搬送し、携帯機器から充電台に記録データを伝送する一例を示すフローチャートである。
【発明を実施するための形態】
【００１８】
以下、本発明の実施の形態を図面に基づいて説明する。ただし、以下に示す実施の形態は、本発明の技術思想を具体化するための電力搬送方法を例示するものであって、本発明は電力搬送方法を以下の方法に特定しない。さらに、この明細書は、特許請求の範囲を理解しやすいように、実施の形態に示される部材に対応する番号を、「特許請求の範囲」および「課題を解決するための手段の欄」に示される部材に付記している。ただ、特許請求の範囲に示される部材を、実施の形態の部材に特定するものでは決してない。
【００１９】
図１は、充電台１０と携帯機器３０のブロック図を示している。充電台１０は、携帯機器３０の受電コイル３１に電力搬送する送電コイル１１と、この送電コイル１１に交流電力を供給する交流電源１２と、携帯機器３０から送信される電波を受信する受信器１３とを備えている。この図の充電台１０は、携帯機器３０から無線伝送されるデータをマイクロコンピュータ５１に伝送する通信回路１４を備えている。充電台１０には、携帯機器３０から無線伝送されるデータを記憶するメモリ１９を内蔵させることもできる。この充電台１０は、携帯機器３０から伝送されるデータをメモリ１９に記憶する。メモリ１９に記憶するデータを、通信回線５２を介して通信回路１４からマイクロコンピュータ５１に伝送することができる。充電台１０と携帯機器３０の斜視図を図２に示している。この図の充電台１０は、上に携帯機器３０を脱着できるようにセットして、携帯機器３０に電力搬送して電池３２を充電する。さらに、図２の充電台１０は、通信回線５２を介して、マイクロコンピュータ５１を内蔵するパソコン５０を外部接続している。
【００２０】
携帯機器３０は、メモリ３９と充電できる電池３２を内蔵し、かつ、メモリ３９の記録データを外部に出力する機器である。この携帯機器３０は、たとえばデジタルカメラや携帯電話などである。携帯機器３０は、記録データを充電台１０に無線伝送し、無線伝送された記録データを充電台１０のメモリ１９に、あるいは充電台１０を介してマイクロコンピュータ５１のメモリ５９に記憶させる。本発明は、携帯機器３０を、デジタルカメラや携帯電話には特定しない。デジタルカメラや携帯電話は、メモリ３９に多量の画像データを記憶して、マイクロコンピュータ５１などに伝送して処理する。
【００２１】
図１の携帯機器３０は、送電コイル１１に電磁結合される受電コイル３１と、この受電コイル３１に誘導される交流を直流に変換する整流回路３６と、整流回路３６から出力される直流で電池３２を充電する充電制御回路３７と、画像データなどのデータを記憶するメモリ３９と、このメモリ３９に記憶される記録データを充電台１０に無線伝送する送信器３３とを備えている。
【００２２】
図１の携帯機器３０は、充電台１０に電池３２の満充電信号を伝送する変調回路３５を備える。変調回路３５は、電池３２の情報信号を充電台１０に伝送する。情報信号は、充電している電池３２の残容量、電圧、電流、温度、満充電等の信号である。携帯機器３０が情報信号として、満充電信号を充電台１０に伝送すると、充電台１０はこの満充電信号を検出して、送電コイル１１への電力供給を停止して電池３２の充電を停止する。また、充電台１０は、携帯機器３０から伝送される電池３２の情報信号を検出して、送電コイル１１への供給電力をコントロールして、電池３２を好ましい電圧と電流で充電する。変調回路３５は、並列コンデンサー４１とスイッチング素子４２との直列回路を備えて、受電コイル３１と並列に接続される。変調回路３５は、スイッチング素子４２をオンオフに切り換えて、受電コイル３１の負荷インピーダンスを変更して、充電制御回路３７から入力される電池３２の満充電信号などの情報信号を充電台１０に伝送する。変調回路３５は、スイッチング素子４２のオン状態で並列コンデンサー４１を受電コイル３１と並列に接続し、スイッチング素子４２のオフ状態で並列コンデンサー４１を受電コイル３１に接続しない。変調回路３５は、並列コンデンサー４１を接続する状態と、接続しない状態に切り換えて、受電コイル３１の負荷インピーダンスを変化させて、情報信号を充電台１０に伝送する。変調回路３５は、充電台１０に信号を伝送しない状態で、スイッチング素子４２をオフ状態に保持して、並列コンデンサー４１を受電コイル３１に接続しない状態とする。並列コンデンサー４１が受電コイル３１に接続される状態では、送電コイル１１から受電コイル３１に電力搬送する送電効率が低下するからである。
【００２３】
充電台１０は、受電コイル３１の負荷インピーダンスの変化を、送電コイル１１の負荷インピーダンスの変化として検出して、満充電信号などの情報信号を検出する検出回路１５を備える。検出回路１５は、電力搬送する状態で、送電コイル１１の負荷インピーダンスの変化を送電コイル１１の電流や電圧の変化から検出して電池３２の情報信号を検出する。この充電台１０と携帯機器３０は、電力搬送を中断することなく、充電台１０から携帯機器３０に電力搬送している状態で、携帯機器３０から充電台１０に電池３２の情報信号を確実に伝送する。したがって、電池３２が満充電された状態では充電を停止できる。ただ、充電制御回路３７は、送信器３３を介して電池３２の充電状態を充電台１０に伝送することもできる。電力搬送する状態で、送信器３３から受信器１３に電池３２の情報信号を伝送すると、送電コイル１１の交流の高調波がノイズの原因となる。ノイズの影響を少なくするために、送信器３３は、伝送速度を低くして、また、繰り返し電池３２の充電状態を伝送して、充電台１０の受信器１３に電池３２の充電状態を無線伝送する。無線伝送は、伝送速度を遅くしてノイズの影響を少なくできるからである。
【００２４】
充電制御回路３７は、整流回路３６から入力される電力で電池３２を充電し、電池３２が満充電されると、電池３２の充電を停止するために満充電信号を出力する。リチウムイオン電池である電池３２を充電する充電制御回路３７は、定電圧・定電流充電して電池３２を満充電する。ニッケル水素電池である電池を充電する充電制御回路は、定電流充電して電池を満充電する。
【００２５】
携帯機器３０は、充電台１０にセットされて、送電コイル１１から受電コイル３１に電力搬送される状態で、メモリ３９の記録データを送信器３３で充電台１０に伝送する。メモリ３９の記録データを充電台１０に伝送している途中で電池３２が満充電されると、充電台１０に満充電信号を伝送して、電池３２の充電を一時的に停止する。電池３２の充電が停止される状態で、電池３２の残容量や電圧は電池３２の情報信号として充電台１０に伝送される。したがって、満充電された電池３２の残容量が、あらかじめ設定している設定値、たとえば８０％〜９５％よりも低くなると、再び電力搬送を開始して、電力搬送しながらメモリ３９の記録データを充電台１０に伝送する。
【００２６】
携帯機器３０から充電台１０にメモリ３９の記録データを無線伝送する状態で、仮に電池３２の充電が中断されると、記録データを無線伝送している途中で電池３２が完全に放電されて、記録データの無線伝送が中断されることがある。この弊害を防止するために、本発明は電力搬送を継続しながら、すなわち、電池３２の充電状態を継続しながら、携帯機器３０から充電台１０にメモリ３９の記録データを無線伝送する。ただ、送電コイル１１に交流を供給している状態で、携帯機器３０から充電台１０にメモリ３９の記録データを無線伝送すると、送電コイル１１の交流の高調波が無線伝送のノイズとなって、安定な無線伝送を阻害する。本発明は、この弊害を防止するために、記録データを無線伝送する無線伝送タイミングと、電池３２を充電するために電力搬送する電力搬送タイミングとを繰り返しながら、メモリ３９の記録データを無線伝送する。すなわち、携帯機器３０の電池３２を充電しながら、メモリ３９の記録データを無線伝送する。
【００２７】
すなわち、本発明の電力搬送方法は、携帯機器３０から充電台１０にメモリ３９の記録データを無線伝送する無線伝送タイミングにおいては、充電台１０から携帯機器３０に電力搬送を一時的に中断し、充電台１０から携帯機器３０に電力搬送する電力搬送タイミングと無線伝送タイミングとを交互に繰り返して、充電台１０から携帯機器３０に電力搬送し、また、携帯機器３０から充電台１０にメモリ３９の記録データを無線伝送する。
【００２８】
電力搬送タイミングの時間幅は、タイマー１６で特定する。図１の充電台１０は、送電コイル１１に交流電力を供給する時間幅、すなわち電力搬送タイミングの時間幅を記憶するタイマー１６を交流電源１２に設けている。タイマー１６は、電力搬送タイミングが開始されるとカウントを開始し、タイムアップして送電コイル１１への電力供給を中断する。このタイマー１６の設定時間は、電力搬送タイミングの時間幅を特定する。マイクロコンピュータ５１が接続される充電台１０は、マイクロコンピュータ５１から入力される制御信号である中断信号で送電コイル１１への電力供給を中断することができる。このマイクロコンピュータ５１は、電力搬送タイミングを特定する時間幅が経過すると中断信号を充電台１０に出力する。タイマー１６の設定時間は、たとえば、１ｓｅｃ以下、好ましくは１００ｍｓｅｃ以下、さらに好ましくは１０ｍｓｅｃ以下とする。このタイマー１６の設定時間は、短くして記録データを速やかに無線伝送でき、長くして電池３２を速やかに充電できる。このタイマー１６の設定時間が短すぎると、すなわち電力搬送タイミングが短すぎると、電池３２を速やかに充電できなくなる。また、送電コイル１１に供給する交流の１周期よりも短くても効率よく電池３２を充電できなくなる。したがって、このタイマー１６の設定時間は、１０μｓｅｃよりも長く、好ましくは１００μｓｅｃよりも長くする。
【００２９】
図１の携帯機器３０は、メモリ３９の記録データを無線伝送する無線伝送タイミングを制御するコントロール回路３４を備えている。コントロール回路３４は、送信器３３が記録データを送信するタイミング、すなわち無線伝送タイミングを制御する。コントロール回路３４は、無線伝送タイミングの時間帯を記憶するタイマー４６を備える。このタイマー４６は、メモリ３９の記録データの無線伝送を開始するとカウントを開始し、タイムアップして、記録データの無線伝送を中断する。無線伝送タイミングの時間帯を特定するタイマー４６の設定時間は、たとえば１００ｍｓｅｃ以下、さらに好ましくは１０ｍｓｅｃ以下とする。無線伝送タイミングは、電力搬送を中断する時間である。さらに、携帯機器３０は、記録データの無線伝送を中断するタイミングにおいて、充電台１０に電力搬送タイミングを開始する電力搬送の開始信号を無線伝送する。充電台１０は、無線伝送の開始信号を検出して電力搬送タイミングを再開する。充電台１０は、携帯機器３０から無線伝送される開始信号でもって確実に電力搬送を再開できる。
【００３０】
図３は整流回路３６の出力波形を示している。この図は、電力搬送タイミングと無線伝送タイミングとを繰り返す状態における整流回路３６の出力波形を示している。この図に示すように、整流回路３６の出力電圧は完全な直流とはならずに脈流となる。電力搬送タイミングで並列コンデンサー４１が充電されて一定の電圧となり、無線伝送タイミングにおいては、電力搬送されないので並列コンデンサー４１が放電されて次第に電圧が低下する。充電制御回路３７は、整流回路３６から出力される電圧を電池３２の充電に最適な電圧に安定化する定電圧回路を備えている。したがって、定電圧回路の安定化電圧を、整流回路３６から出力される脈流の最低電圧よりも低く設定すると、定電圧回路の出力電圧を常に一定の電圧に保持して、電池３２を連続して、すなわち無線伝送タイミングにおいても、充電を中断することなく充電できる。このため、電力搬送は中断するが、電池３２の充電は中断されず、電池３２を速やかに充電しながら、メモリ３９の記録データを速やかに無線伝送できる。
【００３１】
脈流の最低電圧は、電力搬送を中断する時間、すなわち無線伝送タイミングと、並列コンデンサー４１の静電容量と、出力電流で特定される。無線伝送タイミングの時間幅を短くして、並列コンデンサー４１の静電容量を大きくして、電池３２を連続して充電できる。さらに、充電制御回路３７に、整流回路３６の出力電圧を昇圧して、電池３２を充電する電圧に安定化するＤＣ／ＤＣコンバータからなる定電圧回路を装備して、脈流の最低電圧が充電制御回路３７の出力電圧よりも低くなっても、電池３２を連続して充電できる。それは、脈流の最低電圧が充電制御回路３７の出力電圧より低下しても、ＤＣ／ＤＣコンバータで昇圧して、一定の電圧として電池３２を充電できるからである。したがって、以上の回路構成によると、電力搬送は中断するが、電池３２の充電を中断することなく、メモリ３９の記録データを効率よく速やかに無線伝送できる特徴が実現される。
【００３２】
さらに、携帯機器３０は、携帯機器３０から充電台１０に伝送した記録データの量で、無線伝送を中断することもできる。この携帯機器３０は、充電台１０に伝送したデータ量をコントロール回路３４で検出し、所定量の記録データが伝送されると無線伝送を中断する。この方法は、所定量の記録データを無線伝送したタイミングで無線伝送タイミングを中断するので、効率よく無線伝送できる。
【００３３】
充電台１０は、携帯機器３０の記録データをマイクロコンピュータ５１のメモリ５９や充電台１０のメモリ１９への伝送を開始するための信号、すなわち送信要求信号を検出すると、電力搬送タイミングと無線伝送タイミングとを繰り返して、携帯機器３０の電池３２を充電しながら、携帯機器３０のメモリ３９の記録データをメモリ５９に伝送し、あるいはメモリ１９に記録する。送信要求信号を検出しない充電台１０は、連続して携帯機器３０に電力搬送して、電池３２を充電する。
【００３４】
送信要求信号は、充電台１０に接続されるマイクロコンピュータ５１から充電台１０に制御信号として伝送され、充電台１０から携帯機器３０に伝送される。ただ、送信要求信号は、携帯機器３０や充電台１０から出力することもできる。この携帯機器３０や充電台１０は、送信要求信号を出力する操作スイッチ（図示せず）を備えている。操作スイッチは、ユーザーが、携帯機器３０の記録データをマイクロコンピュータ５１のメモリ５９や充電台１０のメモリ１９に伝送したいときに操作されて、送信要求信号を出力する。
【００３５】
充電台１０にマイクロコンピュータ５１が接続される状態においては、記録データをメモリ５９に伝送したいユーザーが、マイクロコンピュータ５１のキーボードを操作して、制御信号である送信要求信号を充電台１０に伝送する。充電台１０はマイクロコンピュータ５１から伝送される送信要求信号を携帯機器３０に伝送する。マイクロコンピュータ５１の送信要求信号を携帯機器３０に伝送する充電台１０はサブ送信器１８を備え、携帯機器３０はサブ送信器１８から送信される送信要求信号を受信するサブ受信器３８を備える。マイクロコンピュータ５１から充電台１０に入力される送信要求信号は、充電台１０のサブ送信器１８から携帯機器３０のサブ受信器３８に伝送される。送信要求信号を受信した携帯機器３０は、無線伝送タイミングにおいて記録データを充電台１０に無線伝送する。
【００３６】
携帯機器３０は、充電台１０からの送信要求信号を検出すると、充電停止信号を充電台１０に伝送する。充電停止信号は、携帯機器３０の送信器３３から充電台１０の受信器１３に無線伝送され、あるいは、携帯機器３０の変調回路３５から充電台１０の検出回路１５に伝送される。充電停止信号を無線伝送する方式は、電力搬送を開始する前に無線伝送し、あるいは電力搬送している状態では、伝送スピードを遅くして無線伝送される。変調回路３５から検出回路１５に充電停止信号を伝送する方式は、電力搬送しながら伝送される。
【００３７】
充電台１０が、送信要求信号を受けると、電力搬送タイミングと無線伝送タイミングとを繰り返しながら電池３２を充電して、記録データを受信する。充電台１０が、送信要求信号を受けない状態では、充電台１０は電力搬送タイミングと無線伝送タイミングとを繰り返すことなく、通常の状態で、すなわち連続して送電コイル１１に交流電力を供給して、電池３２を充電する。
【００３８】
さらに、図１の携帯機器３０は、電池３２の充電状態を表示する表示手段４３を備えている。図に示す表示手段４３は、ＬＥＤ等の光源４４Ａからなる表示部４４と、この光源４４Ａの点灯状態をコントロールする点灯回路４５とを備えている。この表示手段４３は、充電制御回路３７が電池３２を充電する状態において、充電制御回路３７から点灯回路４５に電池３２が充電状態であることを示す信号が入力されると共に、点灯回路４５が光源４４Ａを点灯させて、電池３２の充電状態を外部に表示する。さらに、表示手段４３は、電池３２が満充電されると、光源４４Ａの点灯色を変化させて、あるいは点灯を中止して、電池３２が満充電されたことをユーザーに認識させることができる。
【００３９】
さらに、表示手段４３は、電力搬送タイミングと無線伝送タイミングとを交互に繰り返す状態において、電力搬送タイミングで光源４４Ａを点灯させて電池３２の充電状態を表示することに加えて、無線伝送タイミングにおいても光源４４Ａを点灯させて電池３２の充電が継続中であることを表示する。それは、無線伝送タイミングで光源４４Ａの点灯を中断すると、光源４４Ａが点灯と消灯を短時間に繰り返す状態となって、ユーザーが機器の異常を疑って不安になるのを防止するためである。この表示手段４３は、電力搬送タイミングだけでなく、無線伝送タイミングにおいても電池３２の充電状態を表示する光源４４Ａを点灯させることで、データの伝送状態においても電池３２が充電されていることを表示部４４の表示からユーザーに認識させることができる。この表示手段４３は、例えば、無線伝送タイミングにおいても点灯回路４５が光源４４Ａを消灯することなく継続して点灯させることで実現できる。すなわち、この点灯回路４５は、電池３２の充電が開始されると、電池３２の充電が終了するまでの間、連続して光源４４Ａを点灯させることで、電池３２が充電中であることを表示できる。
【００４０】
点灯回路４５は、光源４４Ａに連続して電力を出力する回路構成とすることで、無線伝送タイミングにおいても光源４４Ａを点灯することができる。ただ、点灯回路は、図４に示す回路構成とすることもできる。この図に示す点灯回路４５は、光源４４Ａに電力を供給する電力供給ライン４９にコンデンサー４７を接続している。コンデンサー４７が接続される電力供給ライン４９の充電制御回路３７側には、逆電流を阻止するダイオード４８を接続している。この点灯回路４５は、電力搬送タイミングにおいて、充電制御回路３７が電池３２を充電するタイミングでは、充電制御回路３７から供給される電力で光源４４Ａを点灯させると共に、充電制御回路３７から供給される電力の一部をコンデンサー４７に蓄電する。無線伝送タイミングにおいて、充電制御回路３７が電池３２の充電を中断するタイミングでは、充電制御回路３７から光源４４Ａに電力は供給されないが、コンデンサー４７から供給される電力で光源４４Ａを点灯させる。ここで、無線伝送タイミングは、たとえば１００ｍｓｅｃ以下、好ましくは１０ｍｓｅｃ以下と短い時間に設定されるので、コンデンサー４７の容量を大きくすることなく、光源４４Ａを連続点灯することが可能である。また、点灯回路４５は、必ずしも光源４４Ａを連続点灯する必要はなく、ユーザーが光源４４Ａの消灯を識別できない程度の短時間であれば、光源４４Ａを消灯することも可能である。
【００４１】
さらに、点灯回路４５は、電力搬送タイミングと無線伝送タイミングとを交互に繰り返す状態、すなわち、充電制御回路３７から電池３２が充電状態であることを示す信号が所定の周期で入力される状態においては、携帯機器３０から充電台１０側にデータを伝送中であると判定して、表示部４４の表示を充電中とは異なる表示とすることもできる。例えば、表示手段４３は、電池３２の充電のみを行う充電状態では光源４４Ａを赤色に点灯し、電池３２を充電しながらデータを伝送する充電状態では、光源４４Ａをオレンジ色に点灯し、あるいは赤色を点滅させ、さらに、電池３２の充電が終了すると、光源４４Ａを青色に点灯し、あるいは消灯して、電池３２の充電状態に応じて表示部４４の表示を変更することもできる。これにより、ユーザーは、電池の充電状態とデータの伝送状態とを識別しながら確認することができる。
【００４２】
ただ、表示手段は、必ずしも以上の構造には特定しない。表示手段は、図示しないが、表示部を液晶画面として、この液晶画面の表示内容を制御回路で変化させて電池の充電状態を外部に表示することもできる。この表示手段も、電力搬送タイミングにおいて、液晶画面に電池の充電中を表示することに加えて、無線伝送タイミングにおいても、継続して電池の充電中を表示することができる。
【００４３】
充電台１０と携帯機器３０は、図５のフローチャートで充電台１０から携帯機器３０に電力搬送し、携帯機器３０から充電台１０に記録データを伝送する。以下のフローチャートは、充電台１０に、通信回路１４を介してマイクロコンピュータ５１を接続し、マイクロコンピュータ５１からの送信要求信号で、携帯機器３０のメモリ３９に記憶する記録データを充電台１０を介してマイクロコンピュータ５１のメモリ５９に伝送する工程を示している。
【００４４】
［ｎ＝１のステップ］…充電開始
携帯機器３０が充電台１０にセットされると、携帯機器３０の充電が開始される。このステップで、充電台１０は、交流電源１２から送電コイル１１に交流電力を供給する。携帯機器３０の受電コイル３１は、送電コイル１１に電磁結合されて、交流電力が誘導される。受電コイル３１に誘導される交流は、整流回路３６で直流に変換されて、充電制御回路３７に入力され、充電制御回路３７は入力される直流を電池３２の充電電圧と電流に調整して電池３２を充電する。
【００４５】
［ｎ＝２のステップ］…送信要求信号を検出したか
充電台１０から携帯機器３０に電力搬送し、携帯機器３０の充電を開始した後、ユーザーがマイクロコンピュータ５１を操作して、携帯機器３０のメモリ３９に記憶される画像データなどの記録データをマイクロコンピュータ５１のメモリ５９に伝送するとき、マイクロコンピュータ５１から送信要求信号が充電台１０に伝送され、充電台１０は、この送信要求信号を携帯機器３０に伝送する。送信要求信号が検出されるまで、すなわち、マイクロコンピュータ５１が携帯機器３０のメモリ３９の記録データをメモリ５９に伝送することを要求するまで、ｎ＝１と２のステップループする。すなわち、連続して充電台１０から携帯機器３０に電力搬送して、電池３２を充電する。
【００４６】
［ｎ＝３のステップ］…充電停止信号を伝送
携帯機器３０が送信要求信号を検出すると、このステップで携帯機器３０から充電台１０に、充電停止信号を伝送する。充電台１０は、充電停止信号を検出して、電力搬送を中断する。
［ｎ＝４〜６のステップ］…記録データを充電台１０に伝送（無線伝送タイミング）
充電停止信号で充電台１０が電力搬送を中断した後、携帯機器３０がメモリ３９に記憶している記録データを充電台１０に無線伝送する。携帯機器３０は、一定の時間経過するまで、記録データを充電台１０に無線伝送する。記録データを無線伝送する無線伝送タイミングの時間は、コントロール回路３４のタイマー４６で特定される。充電台１０は、無線伝送される記録データを通信回路１４を介してマイクロコンピュータ５１に伝送する。マイクロコンピュータ５１は、伝送される記録データをメモリ５９に記憶する。
ｎ＝４〜６は、無線伝送タイミングである。
［ｎ＝７〜９のステップ］…電力搬送の開始信号を伝送
携帯機器３０の送信器３３が、記録データの無線伝送を中断した後、携帯機器３０から充電台１０に、電力搬送の開始信号が無線伝送される。充電台１０は、この開始信号を検出して、携帯機器３０への電力搬送を再開する。電力搬送を再開した後、一定時間経過すると、ｎ＝３のステップに戻って電力搬送を中断する。
ｎ＝７〜９は、電力搬送タイミングである。
［ｎ＝１０のステップ］…電力搬送の開始信号を伝送
その後、全ての記録データの無線伝送が終了するまで、ｎ＝３〜９のステップをループし、ｎ＝５のステップで、全ての記録データの無線伝送が終了したと判定されると、ｎ＝１０のステップに進んで電力搬送の開始信号を伝送して充電を再開して、携帯機器３０の電池３２を満充電する。
その後、携帯機器３０の電池３２が満充電されると、携帯機器３０から充電台１０に満充電信号が伝送されるので、充電台１０は電力搬送を停止する。
【産業上の利用可能性】
【００４７】
本発明の電力搬送方法は、充電台から携帯機器に電力搬送し、さらに、携帯機器に記憶される記録データを充電台に無線伝送しながら、充電台から携帯機器に電力搬送するので、内蔵する記録データを無線伝送する携帯機器の充電に好適に使用される。
【符号の説明】
【００４８】
１０…充電台
１１…送電コイル
１２…交流電源
１３…受信器
１４…通信回路
１５…検出回路
１６…タイマー
１８…サブ送信器
１９…メモリ
３０…携帯機器
３１…受電コイル
３２…電池
３３…送信器
３４…コントロール回路
３５…変調回路
３６…整流回路
３７…充電制御回路
３８…サブ受信器
３９…メモリ
４１…並列コンデンサー
４２…スイッチング素子
４３…表示手段
４４…表示部                      ４４Ａ…光源
４５…点灯回路
４６…タイマー
４７…コンデンサー
４８…ダイオード
４９…電力供給ライン
５０…パソコン
５１…マイクロコンピュータ
５２…通信回線
５９…メモリ
【図１】
2014023323.tif 000003
【図２】
2014023323.tif 000004
【図３】
2014023323.tif 000005
【図４】
2014023323.tif 000006
【図５】
2014023323.tif 000007